(57)【要約】【課題】好適な撮影を実現し得る光学装置および光学装置の製造方法を提供する。【解決手段】光が通過可能な光通過領域の外側に備えられ、Ｌａｂ表色系における明度Ｌが４０未満であって、波長９００ｎｍ以上１７００ｎｍ未満の光の反射率が３０％以上となる第１反射層と、前記光通過領域の外側であって前記第１反射層の内側に備えられ、Ｌａｂ表色系における明度Ｌが７０以上であって、波長９００ｎｍ以上１７００ｎｍ未満の光の反射率が７０％以上となる第２反射層とを含むことを特徴とする光学装置。【選択図】図２Ａ
2010175845.tif 000002
【特許請求の範囲】
【請求項１】
光が通過可能な光通過領域の外側に備えられ、Ｌａｂ表色系における明度Ｌが４０未満であって、波長９００ｎｍ以上１７００ｎｍ未満の光の反射率が３０％以上となる第１反射層と、
前記光通過領域の外側であって前記第１反射層の内側に備えられ、Ｌａｂ表色系における明度Ｌが７０以上であって、波長９００ｎｍ以上１７００ｎｍ未満の光の反射率が７０％以上となる第２反射層と
を含むことを特徴とする光学装置。
【請求項２】
光が通過可能な光通過領域の外側に備えられ、Ｌａｂ表色系における明度Ｌが４０以上７０未満であって、波長９００ｎｍ以上１７００ｎｍ未満の光の反射率が５０％以上となる第１反射層と、
前記光通過領域の外側であって前記第１反射層の内側に備えられ、Ｌａｂ表色系における明度Ｌが７０以上であって、波長９００ｎｍ以上１７００ｎｍ未満の光の反射率が７０％以上となる第２反射層と
を含むことを特徴とする光学装置。
【請求項３】
光が通過可能な光通過領域の外側に備えられ、Ｌａｂ表色系における明度Ｌが４０未満であって、波長９００ｎｍ以上１７００ｎｍ未満の光の反射率が３０％以上となる第１反射層と、
前記光通過領域の外側であって前記第１反射層の内側に備えられ、Ｌａｂ表色系における明度Ｌが４０以上７０未満であって、波長９００ｎｍ以上１７００ｎｍ未満の光の反射率が５０％以上となる第２反射層と
を含むことを特徴とする光学装置。
【請求項４】
請求項１から請求項３までのいずれか１項に記載された光学装置であって、
前記第２反射層の層厚は、前記第１反射層の層厚より厚いことを特徴とする光学装置。
【請求項５】
請求項１から請求項４までのいずれか１項に記載された光学装置であって、
前記第１反射層と前記第２反射層は、当該第１反射層および当該第２反射層に共通する少なくとも１つの赤外線反射顔料を含んでおり、
前記第２反射層に含まれる前記赤外線反射顔料の量は、第１反射層に含まれる前記赤外線反射顔料の量より多いことを特徴とする光学装置。
【請求項６】
請求項１から請求項５までのいずれか１項に記載された光学装置であって、
前記光通過領域に備えられる光学系と、
前記第２反射層よりも像側に備えられ、前記光学系の移動を操作するための操作部材とを含むことを特徴とする光学装置。
【請求項７】
請求項１から請求項５までの何れか１項に記載された光学装置であって、
前記第１反射層および前記第２反射層が少なくとも一部に備えられた筐体部と、
前記第２反射層よりも像側に備えられ、前記筐体部を支持する支持台を取付け可能な取付部を有することを特徴とする光学装置。
【請求項８】
請求項１から請求項５までの何れか１項に記載された光学装置であって、
前記第２反射層は、前記筐体部の物体側の端部から３分の２よりも前記物体側の領域に備えられていることを特徴とする光学装置。
【請求項９】
請求項１から請求項８までの何れか１項に記載された光学装置であって、
前記第１反射層および前記第２反射層は、塗布により形成された膜であることを特徴とする光学装置。
【請求項１０】
請求項９に記載された光学装置であって、
前記第１反射層および前記第２反射層は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有する膜であることを特徴とする光学装置。
【請求項１１】
請求項１から請求項１０までの何れか１項に記載された光学装置であって、
前記第２反射層は、前記第１反射層の内側の一部に備えられていることを特徴とする光学装置。
【発明の詳細な説明】
【技術分野】
【０００１】
本発明は、光学装置に関する。
【背景技術】
【０００２】
カメラに備えられるレンズ鏡筒等の光学装置は、野外でのイベント撮影等に用いられた場合のように、太陽光のような赤外線を含む光線を多量に照射される環境下で使用される場合がある。従来技術に係る光学装置では、太陽光が多量に照射される環境下で用いられた場合、照射熱によって光学装置の温度が上昇するという問題が発生している。
【０００３】
レンズ鏡筒等の温度上昇を防止するための従来技術としては、例えば筐体の表面に可逆感温変色層を備えた光学装置が知られている（特許文献１等参照）。しかし、従来技術に係る光学装置は、照射熱による光学装置の温度上昇を十分に抑制することができず、特に濃色の外装の場合に温度上昇を抑制することは困難であった。
【０００４】
また、レンズ鏡筒のような光学装置は、撮影者等が光学装置の表面を直接手で振れて操作できるように設計されているものが多く存在する。しかし、従来技術に係る光学装置は、太陽光を照射される環境で使用される際、その輻射熱によって表面温度が上昇し、光学装置の操作が快適に行えない状態となる場合があり、問題となっている。
【先行技術文献】
【特許文献】
【０００５】
【特許文献１】特開２００７−４９３７０号公報
【発明の概要】
【発明が解決しようとする課題】
【０００６】
本発明は、このような実状に鑑みてなされ、その目的は、好適な撮影を実現し得る光学装置を提供することである。
【課題を解決するための手段】
【０００７】
上記目的を達成するために、本発明に係る光学装置は、
光が通過可能な光通過領域（１５）の外側に備えられ、Ｌａｂ表色系における明度Ｌが４０未満であって、波長９００ｎｍ以上１７００ｎｍ未満の光の反射率が３０％以上となる第１反射層（３２，３２ａ）と、
前記光通過領域の外側であって前記第１反射層の内側に備えられ、Ｌａｂ表色系における明度Ｌが７０以上であって、波長９００ｎｍ以上１７００ｎｍ未満の光の反射率が７０％以上となる第２反射層（３３，３３ｂ）とを含むことを特徴とする。
【０００８】
また、本発明の第２の観点に係る光学装置は、
光が通過可能な光通過領域（１５）の外側に備えられ、Ｌａｂ表色系における明度Ｌが４０以上７０未満であって、波長９００ｎｍ以上１７００ｎｍ未満の光の反射率が５０％以上となる第１反射層（３２，３２ａ）と、
前記光通過領域の外側であって前記第１反射層の内側に備えられ、Ｌａｂ表色系における明度Ｌが７０以上であって、波長９００ｎｍ以上１７００ｎｍ未満の光の反射率が７０％以上となる第２反射層（３３，３３ｂ）とを含むことを特徴とする。
【０００９】
また、本発明の第３の観点に係る光学装置は、
光が通過可能な光通過領域（１５）の外側に備えられ、Ｌａｂ表色系における明度Ｌが４０未満であって、波長９００ｎｍ以上１７００ｎｍ未満の光の反射率が３０％以上となる第１反射層（３２，３２ａ）と、
前記光通過領域の外側であって前記第１反射層の内側に備えられ、Ｌａｂ表色系における明度Ｌが４０以上７０未満であって、波長９００ｎｍ以上１７００ｎｍ未満の光の反射率が５０％以上となる第２反射層（３３，３３ｂ）とを含むことを特徴とする。
【００１０】
また、例えば、前記第２反射層の層厚は、前記第１反射層の層厚より厚くてもよい。
【００１１】
また、例えば、前記第１反射層と前記第２反射層は、当該第１反射層および当該第２反射層に共通する少なくとも１つの赤外線反射顔料（３６）を含んでおり、
前記第２反射層に含まれる前記赤外線反射顔料の量は、第１反射層に含まれる前記赤外線反射顔料の量より多くてもよい。
【００１２】
また、例えば、本発明に係る光学装置は、前記光通過領域に備えられる光学系（１３）と、前記反射層よりも像側に備えられ、前記光学系の移動を操作するための操作部材（１４）を含んでいてもよい。
【００１３】
また、例えば、本発明に係る光学装置は、前記第１反射層および前記第２反射層が少なくとも一部に備えられた筐体部（１２）と、前記反射層よりも像側に備えられ、前記筐体部を支持する支持台を取付け可能な取付部（２８）を有していてもよい。
【００１４】
また、例えば、前記第２反射層は、前記筐体部の物体側の端部から３分の２よりも前記物体側の領域に備えられていてもよい。
【００１５】
また、例えば前記第１反射層および前記第２反射層は、塗布により形成された膜であってもよい。
【００１６】
また、例えば、前記第１反射層および前記第２反射層は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有する膜であってもよい。
【００１７】
また、例えば、前記第２反射層は、前記第１反射層の内側の一部に備えられていてもよい。
【００１８】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【図面の簡単な説明】
【００１９】
【図１】図１は、本発明の第１実施形態に係るレンズ鏡筒の全体図である。
【図２Ａ】図２Ａは、図１に示すレンズ鏡筒における第１領域の断面図である。
【図２Ｂ】図２Ｂは、図１に示すレンズ鏡筒における第２領域の断面図である。
【図３Ａ】図３Ａは、図２Ａに示す第１領域の表面付近の拡大図である。
【図３Ｂ】図３Ｂは、第２実施形態に係るレンズ鏡筒に備えられる第１領域の表面付近の拡大断面図である。
【図３Ｃ】図３Ｃは、第３実施形態に係るレンズ鏡筒に備えられる第１領域の表面付近の拡大断面図である。
【図４】図４は、反射層に光が照射された場合の照射光波長と反射率との関係を示す図である。
【図５】図５は、本発明の一実施形態に係るレンズフードの全体図である。
【図６】図６は、本発明の一実施形態に係る支持台取付部の全体図である。
【図７】図７は、本発明の一実施形態に係るカメラの全体図である。
【図８】図８は、本発明のその他の実施形態に係るレンズ鏡筒の全体図である。
【発明を実施するための形態】
【００２０】
第１実施形態
図１は、本発明の第１実施形態に係るレンズ鏡筒１０の全体図である。レンズ鏡筒１０は、レンズ鏡筒１０の外周を構成する筐体１２を有している。筐体１２は、無底の略円筒形状を有しており、略円筒形状の筐体１２の中心軸Ｌに沿う方向に、光が通過可能な光通過領域１５が形成されている。
【００２１】
筐体１２の内部に形成されている光通過領域１５には、光学レンズ群１３が備えられている。光学レンズ群１３は、レンズ鏡筒１０の一方の端部である被写体側の端部１２ａから入射した光を、レンズ鏡筒１０の他方の端部である撮像面側の端部１２ｂに、出射することができる。また、本実施形態に係るレンズ鏡筒１０は、被写体側から入射した光の像を、当該光を撮像面側に出射した後の所定の位置で、形成することができる。
【００２２】
レンズ鏡筒１０の外周を形成する筐体１２の撮像面側の端部１２ｂには、不図示のカメラ本体部が取り付けられる。カメラ本体部は、レンズ鏡筒１０に備えられる光学レンズ群１３によって形成される光の像を記録する記録媒体等を有する。また、筐体１２の被写体側の端部１２ａには、レンズ鏡筒１０の光通過領域１５に不要な光が入射することを防止するために、図５に示すようなレンズフード５０を取り付けることができる。
【００２３】
なお、実施形態では主としてレンズ鏡筒１０を例に挙げて説明を行うが、本発明に係る光学装置としてはこれに限定されない。本発明に係る光学装置としては、レンズ鏡筒の他に、例えばレンズフード、カメラボディおよびカメラ（レンズ鏡筒とカメラとが一体化したもの）等が挙げられる。また、本発明に係る光学装置はスチルカメラや、スチルカメラに備えられるレンズ鏡筒に限定されるものではなく、ビデオカメラ、テレコンバータ、望遠鏡、双眼鏡、単眼鏡を含む。
【００２４】
図１に示すレンズ鏡筒１０は、筐体１２を支持する支持台を取付け可能な支持台取付部１６を有する。支持台取付部１６は、レンズ鏡筒１０の筐体１２を挿通させるリング部１７と、三脚等の支持台を取付けるための支持台固定孔２８が形成されている座部１８とを有する。また、支持台取付部１６のリング部１７には、筐体１２に対して支持台取付部１６を固定するための取付ねじ１９が備えられている。また、筐体１２には、焦点距離等の情報を表示するための表示器２０が備えられている。表示器２０は、例えば、撮影者がカメラを正位置に構えたとき、筐体１２の上方に位置するように配置されている。
【００２５】
また、レンズ鏡筒１０には、レンズ鏡筒１０に備えられる光学レンズ群１３の焦点調整を行うための回転環１４が取り付けられている。回転環１４は、光学レンズ群１３を構成する焦点調整レンズの移動を操作するための操作部材である。レンズ鏡筒１０およびカメラ等を使用する撮影者は、回転環１４を回転させることによって、光学レンズ群１３の一部である焦点調整レンズの移動を操作し、レンズ鏡筒１０の焦点調整を行うことができる。
【００２６】
なお、レンズ鏡筒１０に取り付けられる回転環１４は、本実施形態のように光学レンズ群１３の焦点調整を行ういわゆるフォーカス環に限られない。例えば、光学レンズ群１３と撮像面の焦点距離を調整するズーム環や、光学レンズ群１３を透過する光の量を調整する絞り環等であってもよい。
【００２７】
筐体１２には、赤外線の反射率が互いに異なる第１領域２４（図１において斜線でハッチングを施した部分）と第２領域２６が形成されている。後述のように、第１領域２４には第１反射層と第２反射層とが備えられており、第２領域２６には第１反射層が備えられている。
【００２８】
本実施形態のレンズ鏡筒１０に備えられる筐体１２は、筐体１２の中心軸Ｌに沿って、回転環１４より被写体側に第１領域２４を有し、回転環１４より撮像面側に第２領域２６を有する。第１領域２４には、図２Ａに示すように、筐体本体部３０の外周面に沿って第１反射層３２と第２反射層３３とが備えられる。それに対して、第２領域２６には、図２Ｂに示すように、筐体本体部３０の外周面に沿って第１反射層３２のみが備えられる。
【００２９】
図２Ａは、図１におけるIIＡ−IIＡ線に沿う断面図であり、筐体１２の第１領域２４の断面を表している。なお、筐体本体部３０の内側に備えられる光学レンズ群１３等については、図示を省略している。
【００３０】
図２Ａに示すように、第１領域２４では、光通過領域１５が内部に備えられる筐体１２の外側表面に、第１反射層３２が備えられる。さらに、第１反射層３２の内側には第２反射層３３が備えられており、第２反射層３３の内側には筐体本体部３０が備えられる。
【００３１】
第１実施形態に係る第１反射層３２は、図３Ａに示すように、塗膜ａによって構成されている。塗膜ａは、図４に示すように、可視光領域（波長４００ｎｍ以上８００ｎｍ以下）の光の反射率が約１０％で、Ｌａｂ表色系における明度Ｌが４０未満であり、黒色に近い色に見える塗膜である。また、塗膜ａは、赤外線領域（波長９００ｎｍ以上１７００ｎｍ未満）の光の反射率が、約４０％である。
【００３２】
塗膜ａは、黒色に近い色に見える塗膜であるが、同程度の明度を有する他の塗膜（例えば塗膜ｄ）に比べて、物体に熱エネルギーを与える赤外領域の光を反射する反射率が高い。すなわち、可視領域の光の反射率については、塗膜ａも、塗膜ｄもほぼ同等であり、約１０％の反射率を有している。しかし、赤外線領域の光の反射率については、塗膜ｄが可視光領域とほぼ同じの約１０％の反射率しか有しないのに対して、塗膜ａは、可視光領域の光の反射率より３０％程度高い約４０％の反射率を有する。
【００３３】
第１反射層３２に用いられる塗膜としては、塗膜ａのように、赤外線領域の光の反射率が、可視光領域の光の反射率より１０％以上高いことが好ましく、２０％以上高いことがさらに好ましい。ここで、塗膜の反射率のうち、赤外線領域の光の反射率は、以下の式１を用いて表される。
【００３４】
【数１】
2010175845.tif 000003
【００３５】
数式１において、Ｒλ（ｉ）は各波長λ（ｉ）の光の反射率、λ（ｉ）はλ（１）＝９００，λ（２）＝９１０，λ（３）＝９２０，・・・λ（ｎ）＝１７００ｎｍとする。
【００３６】
また、塗膜の反射率のうち、可視光領域の光の反射率は、以下の式２を用いて表される。
【００３７】
【数２】
2010175845.tif 000004
【００３８】
数式２において、Ｒλ（ｉ）は各波長λ（ｉ）の光の反射率、λ（ｉ）はλ（１）＝４００，λ（２）＝４１０，λ（３）＝４２０，・・・λ（ｎ）＝８００ｎｍとする。
【００３９】
図３Ａに示すように、塗膜ａは、塗膜ａの反射率を高めるための赤外線反射顔料３６を含む。赤外線反射顔料３６は、例えば、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有し、赤外線の反射率が高い。また、赤外線反射顔料３６の形状としては特に限定されないが、板状もしくは箱形形状を有することが、第１反射層３２に入射した赤外線を効率的に反射するために好ましい。
【００４０】
図２Ａに示すように、筐体１２の第１領域２４では、第１反射層３２の内側に第２反射層３３が備えられる。第２反射層３３は、図３Ａに示すように、塗膜ｃによって構成されている。塗膜ｃは、図４に示すように、可視光領域の光の反射率が約６５％で、Ｌａｂ表色系における明度Ｌが７０以上であり、白色に近い色に見える塗膜である。また、塗膜ｃは、赤外線領域の光の反射率が、約８５％である。
【００４１】
塗膜ｃは、白色に近い色に見える塗膜であるが、塗膜ａと同様に、塗膜ｃと同程度の明度を有する他の塗膜に比べて、物体に熱エネルギーを与える赤外領域の光を反射する反射率が高い。また、塗膜ｃは、赤外領域の光の反射率が、可視光領域の光の反射率より約２０％高い。
【００４２】
さらに、塗膜ｃは、図３に示すように、塗膜ｃの反射率を高めるための赤外線反射顔料３６を含む。本実施形態において、塗膜ｃに含まれる赤外線反射顔料３６は、塗膜ａに含まれる赤外線反射顔料３６と同じ顔料である。塗膜ａおよび塗膜ｃに含まれる赤外線反射顔料３６の量としては、特に限定されないが、塗膜ｃに含まれる赤外線反射顔料３６の量は、塗膜ａに含まれる赤外線反射顔料３６の量より多いことが好ましい。これによって、図１に示す筐体１２の外側表面の色を変化させることなく、第１領域２４の反射率を高めることができる。
【００４３】
図２Ｂは、図１におけるIIＢ−IIＢ線に沿う断面図であり、筐体１２の第２領域２６の断面を表している。なお、筐体本体部３０の内側に備えられる光学レンズ群１３等については、図示を省略している。
【００４４】
図２Ｂに示すように、第２領域２６では、第１領域２４と同様に、光通過領域１５が内部に備えられる筐体１２の最外側表面に、第１反射層３２が備えられる。しかし、第１反射層３２の内側には、第２反射層３３が備えられておらず、第１反射層３２の内側には、筐体本体部３０が備えられる。
【００４５】
図２Ａ等において説明したように、第１反射層３２は、塗膜ａによって構成されている。塗膜ａは、黒色に近い色に見える塗膜であるが、先述のように、同程度の明度を有する他の塗膜（例えば塗膜ｄ）に比べて、物体に熱エネルギーを与える赤外領域の光を反射する反射率が高い。
【００４６】
筐体１２の外周面に沿って備えられる第１反射層３２および第２反射層３３は、例えば、塗膜ａおよび塗膜ｃの原料となる塗料を塗布することによって形成される。図２Ａに示す第１領域２４を形成する場合、最初に、筐体本体部３０の外側表面に塗膜ｃからなる第２反射層３３を形成し（図３Ａ）、さらに塗膜ｃの上に塗膜ａからなる第１反射層３２を形成する。また、図２Ｂに示す第２領域２６を形成する場合は、筐体本体部３０の外側表面に塗膜ｃを形成する。なお、筐体本体部３０は、Ｍｇ，Ａｌ等を含む金属材料や、ポリカーボネイト等の樹脂材料によって形成されている。
【００４７】
本実施形態に係るレンズ鏡筒１０においては、図２Ａおよび図２Ｂに示すように、第１領域２４と第２領域２６の両方が、第１反射層３２を有する。そのため、レンズ鏡筒１０は、筐体１２の外側表面全体に、第１反射層３２を備える。第１反射層３２は、Ｌａｂ表色系における明度Ｌが４０未満であり黒色に近い色に見える塗膜ａによって構成されており、また、赤外線領域の光の反射率が３０％以上であり同程度の明度を有する他の塗膜に比べて物体に熱エネルギーを与える赤外領域の光を反射する反射率が高い。
【００４８】
したがって、例えば太陽光が多量に照射される環境下で用いられた場合でも、本実施形態に係るレンズ鏡筒１０は、第１反射層３２が赤外線を反射することによって、筐体１２の温度が上昇することを、効果的に防止することができる。また、筐体１２の温度上昇が防止されるため、レンズ鏡筒１０を使用する撮影者等は、レンズ鏡筒１０の表面を直接手で振れながら、レンズ鏡筒１０を快適に操作することができる。
【００４９】
また、第１反射層３２を構成する塗膜ａは、Ｌａｂ表色系における明度Ｌが４０未満であり、黒色に近い色に見える。筐体１２の外側表面は、第１反射層３２の色である黒色に近い色に見えるため、筐体１２は、白色等の明度Ｌが高い塗膜を備える筐体１２より目立ちにくい。したがって、黒色に近い色に見える筐体１２を備えるレンズ鏡筒１０は、スポーツ競技等の撮影に用いられる場合であっても、観客のスポーツ観戦等の妨げになりにくい。
【００５０】
さらに、筐体１２の第１領域２４には、図２Ａに示すように、第１反射層３２に加えて、第１反射層３２の内側に第２反射層３３が備えられる。第２反射層３３は、Ｌａｂ表色系における明度Ｌが７０以上であり白色に近い色に見える塗膜ｃによって構成されており、また、赤外線領域の光の反射率が７０％以上であり同程度の明度を有する他の塗膜に比べて、物体に熱エネルギーを与える赤外領域の光を反射する反射率が高い。
【００５１】
ここで、第２反射層３３は、Ｌａｂ表色系における明度Ｌが高い（７０以上である）塗膜ｃで構成されているため、明度Ｌの低い（４０未満である）塗膜ａで構成される第１反射層３２に比べて、赤外線の反射率が高い。このように、図３Ａに示す第１領域２４には、第１反射層３２の内側に、第１反射層３２より赤外線の反射率が高い第２反射層３３備えられる。すなわち、第２反射層３３が、当該第２反射層３３に入射した赤外線を、第１反射層３２より高い反射率で反射することによって、筐体１２の温度上昇を効果的に防止することができる。
【００５２】
また、第２反射層３３は、第１反射層３２の内側に備えられるため、筐体１２の外側表面の色（外見の色）に与える影響が少ない。したがって、第１領域２４は、第２領域２６に対して、筐体１２の外側表面の色（外見の色）が略同一であるにもかかわらず、赤外線反射率が高い。また、本実施形態に係るレンズ鏡筒１０は、明度Ｌの高い塗膜ｃによって構成される第２反射層３３を有しているにもかかわらず、第２反射層３３は第１反射層３２の内側に備えられるため、筐体１２の外側表面の色の明度が低く、目立ちにくいという特徴を有する。
【００５３】
ここで、明度Ｌの低い塗膜は、可視光領域の光の反射率が低く、また、一般的には、赤外線領域の光の反射率も低い傾向にある。そのため、明度Ｌの低い塗膜の場合、たとえ赤外線反射顔料３６を添加しても、赤外線領域の光の反射率の値（絶対値）が高い塗膜を得ることが難しい。その反対に、明度Ｌの高い塗膜では、可視光領域の光の反射率が高く、また、一般的には、赤外線領域の光の反射率も高い傾向にある。そのため、明度Ｌの高い塗膜の場合、比較的容易に赤外線領域の光の反射率の値（絶対値）が高い塗膜を得られる。本実施形態に係る第１領域２４では、図３Ａに示すように、明度Ｌの低い塗膜（塗膜ａ）の内側に、明度Ｌの高い塗膜（塗膜ｃ）を形成することによって、外側表面が黒色に近い色に見えるにもかかわらず、赤外線領域の光を効果的に反射し、遮熱性の高い筐体１２を実現している。
【００５４】
また、第２反射層３３は、筐体１２の外側表面の色（外見の色）に与える影響が少ないため、第１反射層３２より多くの赤外線反射顔料３６を含んでいても良い。これによって、図１に示す筐体１２の最外周面の色を変化させることなく、第１領域２４の反射率を高めることができ、筐体１２の温度上昇を抑制することができる。また、第２反射層３３の膜厚は、第２反射層３３の膜厚より厚くても良い。赤外線の反射率が第１反射層３２より第２反射層３３を厚くすることによって、赤外線をより多く反射し、筐体１２の温度上昇を効果的に抑制することができる。
【００５５】
図１に示すように、本実施形態に係るレンズ鏡筒１０では、第２反射層３３を有する第１領域２４が、筐体１２の被写体側の領域に備えられている。したがって、レンズ鏡筒１０は、撮影者が直接手で触れやすい部分である筐体１２の被写体側の部分について、筐体１２の温度上昇を効果的に防止することができる。例えば、第１領域２４は、筐体１２の被写体側の端部１２ａから３分の２よりも被写体側の部分に備えられることが好ましい。
【００５６】
野外での撮影に好適に用いられる望遠レンズ等のレンズ鏡筒１０は、重量が大きいものも多い。したがって、このようなレンズ鏡筒１０を用いる撮影者等は、筐体１２の被写体側部分に片手を添えた状態で、撮影が行うことが多いからである。また、レンズ鏡筒１０に備えられる回転環１４は、撮影者の手元に近い側に配置したほうが操作し易いため、第１領域２４より撮像面側に備えられることが好ましい。
【００５７】
またレンズ鏡筒１０は、レンズ鏡筒１０に備えられた支持台取付部１６に三脚等の支持台を取り付けて、レンズ鏡筒１０を三脚等によって支持した状態で用いられる場合もある。このような場合、撮影者等は、筐体１２の被写体側部分を一方の手で触り、他方の手をカメラのレリーズボタンに添えることによってレンズ鏡筒１０を両手で保持し、レンズ鏡筒１０を安定させた状態で撮影を行うことが多い。図１に示すレンズ鏡筒１０は、支持台取付部１６より被写体側に第１領域２４が備えられるため、レンズ鏡筒１０における被写体側の部分の温度上昇を効果的に防止することができる。したがって、本実施形態に係るレンズ鏡筒１０は、このような使用に適している。
【００５８】
本実施形態において、第２反射層３３は、第１領域２４のみに備えられるのに対して、第１反射層３２は、第１領域２４と第２領域２６の両方に備えられる。このように、第２反射層３３は、第１反射層３２が備えられる領域の一部に備えられてもよく、例えば、筐体１２の内部にモータまたは電子基板等の発熱源が設置されている位置から離間するように備えられていてもよい。これによって、レンズ鏡筒１０は、筐体１２の内部で発生した赤外線（放射熱）を、第２反射層３３が備えられておらず比較的赤外線の反射率の低い第２領域２６から放出することによって、筐体１４の温度上昇を抑制できる。
【００５９】
第２実施形態
第１実施形態に係るレンズ鏡筒１０における第１領域２４は、図３Ａに示すように、塗膜ａによって構成される第１反射層３２と、塗膜ｃによって構成される第２反射層３３とを有する。しかし、第１領域に備えられる第１反射層および第２反射層としては、これに限定されない。
【００６０】
図３Ｂは、第２実施形態に係るレンズ鏡筒に備えられる第１領域２４ａの表面付近を拡大した拡大断面図である。第２実施形態に係る第１領域２４ａでは、筐体１２の外側表面に、塗膜ｂによって構成される第１反射層３２ａが備えられている。さらに、第１反射層３２ａの内側に、塗膜ｃによって構成される第２反射層３３備えられている。なお、第２実施形態に係るレンズ鏡筒は、第１反射層を構成する塗膜が異なる他は、第１実施形態に係るレンズ鏡筒１０と同様である。
【００６１】
第１反射層３２ａを構成する塗膜ｂは、図４に示すように、可視光領域の光の反射率が約２５％で、Ｌａｂ表色系における明度が４０以上７０未満である。また、塗膜ｂは、赤外線領域の光の反射率が、約６０％である。塗膜ｂは、第２反射層３３を構成する塗膜ｃと同様に、塗膜ｂと同程度の明度を有する他の一般的な塗膜に比べて、赤外線領域の光の反射率が高い。また、塗膜ｂは、赤外領域の光の反射率が、可視光領域の光の反射率（約２５％）より約３５％高い。さらに、塗膜ｂは、図３に示すように、塗膜ｂの反射率を高めるための赤外線反射顔料３６を含む。
【００６２】
したがって、第１領域２４ａも、第１実施形態における第１領域２４と同様に、相対的に明度Ｌの低い塗膜（塗膜ｂ）の内側に、明度Ｌの高い塗膜（塗膜ｃ）を備える。これにより、第１領域２４ａを備える筐体は、外側表面の色の明度Ｌが低いにもかかわらず、赤外線領域の光の反射率の値（絶対値）が高く、遮熱性の高い筐体を実現できる。また、第１領域２４ａを備える第２実施形態に係るレンズ鏡筒は、第１実施形態に係るレンズ鏡筒１０と同様の効果を有する。
【００６３】
第３実施形態
図３Ｃは、第３実施形態に係るレンズ鏡筒に備えられる第１領域２４ｂの表面付近を拡大した拡大断面図である。第３実施形態に係る第１領域２４ｂでは、筐体の外側表面に、塗膜ａによって構成される第１反射層３２が備えられている。さらに、第１反射層３２の内側に、塗膜ｂによって構成される第２反射層３３ｂが備えられている。なお、第３実施形態に係るレンズ鏡筒は、第２反射層を構成する塗膜が異なる他は、第１実施形態に係るレンズ鏡筒１０と同様である。
【００６４】
第２反射層３３ｂを構成する塗膜ｂは、図４に示すように、可視光領域の光の反射率が約２５％で、Ｌａｂ表色系における明度が４０以上７０未満である。また、塗膜ｂは、赤外線領域の光の反射率が、約６０％である。塗膜ｂは、第１反射層３２を構成する塗膜ａと同様に、塗膜ｂと同程度の明度を有する他の一般的な塗膜に比べて、赤外線領域の光を反射する反射率が高い。また、塗膜ｂは、赤外領域の光の反射率が、可視光領域の光の反射率（約２５％）より約３５％高い。さらに、塗膜ｂは、図３に示すように、塗膜ｂの反射率を高めるための赤外線反射顔料３６を含む。
【００６５】
したがって、図３Ｃに示す第１領域２４ｂも、第１実施形態における第１領域２４と同様に、明度Ｌの低い塗膜（塗膜ａ）の内側に、相対的に明度Ｌの高い塗膜（塗膜ｂ）を備える。したがって、第１領域２４ｂを備える筐体は、外側表面の色の明度Ｌが低いにもかかわらず、赤外線領域の光の反射率の値（絶対値）が高く、遮熱性の高い筐体を実現している。また、第１領域２４ｂを備える第３実施形態に係るレンズ鏡筒は、第１実施形態に係るレンズ鏡筒１０と同様の効果を有する。
【００６６】
その他の実施形態
第１反射層３２および第２反射層３３を構成する塗膜は、図４に示す、塗膜ａ〜ｃのように、赤外線領域（波長９００ｎｍ〜１７００ｎｍ）の光に対して、略一定反射率を有していても良いが、これに限定されない。たとえば、塗膜ｅにように、一部の波長の光に対して反射率が低くても、数式１で示す赤外線の反射率が、数式２で示す可視光の反射率に対して高いものであれば、第１反射層３２および第２反射層３３を構成する塗膜として好適である。
【００６７】
上述の実施形態で説明した第１領域２４，２４ａ，２４ｂが備えられる筐体としては、図１に示すレンズ鏡筒１０の筐体１２に限られない。例えば、図５に示すように、第１領域２４，２４ａ，２４ｂは、レンズフード５０の筐体５１に備えられてもよい。これによって、レンズフード５０は、太陽光等からの赤外線の照射によって、筐体５１の温度が上昇することを抑制することができる。
【００６８】
また、図６に示すように、第１領域２４，２４ａ，２４ｂは、支持台取付部５４の筐体５５に備えられてもよい。これによって、レンズフード５０は、太陽光等からの赤外線の照射によって、筐体５５の温度が上昇することを抑制することができる。あるいは、図７に示すように、第１領域２４，２４ａ，２４ｂは、レリーズボタン５９等を有するカメラ６１の筐体５７に備えられてもよい。これによって、カメラ６１は、太陽光等からの赤外線の照射によって、筐体５７の温度が上昇することを抑制することができる。
【００６９】
また、第１反射層３２及び第２反射層３３とが備えられた第１領域２４は、任意の位置に配置できる。例えば、図８に示すように、レンズ鏡筒１０の筐体１２のうち、回転環１４及び表示器２０を除く全ての部分に第１領域２４を配置してもよい。また、第１反射層３２および第２反射層３３は、塗膜に限られず、蒸着等によって形成された薄膜その他の膜であってもよい。
【符号の説明】
【００７０】
１０…  レンズ鏡筒
１２，５１,５５,５７…  筐体
１３…  光学レンズ群
１５…  光通過領域
１４…  回転環
１６，５４…  支持台取付部
２４，２４ａ，２４ｂ…  第１領域
２６…  第２領域
３２，３２ａ…  第１反射層
３３，３３ｂ…  第２反射層
３６…  赤外線反射顔料
【図１】
2010175845.tif 000005
【図２Ａ】
2010175845.tif 000006
【図２Ｂ】
2010175845.tif 000007
【図３Ａ】
2010175845.tif 000008
【図３Ｂ】
2010175845.tif 000009
【図３Ｃ】
2010175845.tif 000010
【図４】
2010175845.tif 000011
【図５】
2010175845.tif 000012
【図６】
2010175845.tif 000013
【図７】
2010175845.tif 000014
【図８】
2010175845.tif 000015